(57)【要約】通信システム内の通信可能領域を決定する方法は、コントローラにより通信システム内の複数の基地局を決定すること、およびコントローラにより複数の基地局のそれぞれについてボロノイ領域を決定することを含む。ボロノイ領域は基地局用の通信可能領域に対応する。ボロノイ領域内の各場所は複数の基地局のその他のいかなる基地局よりもその基地局に最も近い。
2013526811.tif 000002
【特許請求の範囲】
【請求項１】
通信システム内の通信可能領域を決定する方法であって、
コントローラにより前記通信システム内の複数の基地局を決定する第１の決定（Ｓ３００）を含み、前記コントローラが前記複数の基地局と通信するように構成され、そして、
前記コントローラにより前記複数の基地局のそれぞれについてボロノイ領域を決定する第２の決定（Ｓ３１０）を含み、前記ボロノイ領域が前記基地局用の前記通信可能領域に対応し、前記ボロノイ領域内の各場所が前記複数の基地局のその他のいかなる基地局よりも前記基地局に最も近い、方法。
【請求項２】
前記コントローラが前記通信システムの別の基地局を検出した場合、または前記コントローラが前記複数の基地局のうちの１つと通信できない場合、前記第１の決定（Ｓ３００）および前記第２の決定（Ｓ３１０）が実行される、請求項１に記載の方法。
【請求項３】
前記第２の決定（Ｓ３１０）が前記ボロノイ領域の母点である前記基地局に基づいて前記ボロノイ領域を決定する、請求項１に記載の方法。
【請求項４】
前記第２の決定（Ｓ３１０）が前記複数の基地局のそれぞれについて前記ボロノイ領域を決定し、前記ボロノイ領域が重ならない、請求項１に記載の方法。
【請求項５】
通信システムの性能を解析する方法であって、
少なくとも１本のアンテナを含む第１の基地局によりボロノイ領域の少なくとも１つの頂点を決定（Ｓ４００）することを含み、前記ボロノイ領域が前記基地局用の通信可能領域に対応し、前記ボロノイ領域内の各場所がその他のいかなる基地局よりも前記基地局に最も近く、前記少なくとも１つの頂点が最大送信距離に対応する、方法。
【請求項６】
前記第１の基地局により前記ボロノイ領域の前記少なくとも１つの頂点に基づいて送信電力を決定する第２の決定（Ｓ４１０）をさらに含む、請求項５に記載の方法。
【請求項７】
前記第１の基地局により前記送信電力でパイロット信号を送信する（Ｓ４２０）ことをさらに含む、請求項６に記載の方法。
【請求項８】
前記第２の決定（Ｓ４１０）がさらに経路損失の閾値に基づいて前記送信電力を決定する、請求項６に記載の方法。
【請求項９】
前記第１の基地局により前記ボロノイ領域の前記少なくとも１つの頂点に基づいて前記少なくとも１本のアンテナ用の傾斜角を決定する第３の決定（Ｓ５１０）をさらに含む、請求項６に記載の方法。
【請求項１０】
前記第１の基地局により前記傾斜角でパイロット信号を送信する（Ｓ５２０）ことをさらに含む、請求項９に記載の方法。
【発明の詳細な説明】
【背景技術】
【０００１】
一般に、無線ネットワークは複数のセルに分割され、各セルは少なくとも１つの基地局を有する。情報を送信することを望むユーザ機器（例えば、携帯電話）は、セル内の基地局と通信を確立する。
【０００２】
識別パラメータに加えて、運転パラメータはネットワーク管理の一部である。アンテナの方位（例えば、傾斜角）、送信電力の限度、およびパイロット電力の比率などのさまざまな運転パラメータは、ネットワーク機能に影響を与える。
【０００３】
ＣＤＭＡ２０００およびユニバーサル・モバイル・テレコミュニケーション・システム（ＵＭＴＳ）などの無線ネットワーク用の第３世代（３Ｇ）規格では、性能解析はネットワーク・アルゴリズムの一般動作を評価するために使用される。ハンドオフ、アクセス性能、およびアプリケーション・スループットの解析などの３Ｇにおける性能解析の場合、通信可能領域の六角形ネットワーク・モデルが使用される。
【０００４】
図１は従来の六角形ネットワーク・モデルを例示する。図１は従来の六角形ネットワーク・モデル１００を示す。図のように、六角形ネットワーク・モデル１００は基地局ＢＳ１〜ＢＳ７を含み、基地局ＢＳ１〜ＢＳ７のそれぞれは通信可能領域Ｃ１〜Ｃ７を有する。図のように、通信可能領域Ｃ１〜Ｃ７は基地局ＢＳ１〜ＢＳ７用のセルであり、六角形としてモデル化される。六角形ネットワーク・モデルは３Ｇ技術には十分である。
【０００５】
ロング・ターム・エボリューション（ＬＴＥ）は、ユニバーサル・モバイル・テレコミュニケーション・システム（ＵＭＴＳ）規格を改良して将来要件に対処するプロジェクトに与えられた名前である。一態様では、ＵＭＴＳは、第４世代（４Ｇ）無線ネットワークとして発展型ユニバーサル地上無線アクセス・ネットワーク（Ｅ−ＵＴＲＡＮ）を提供するように修正された。
【０００６】
Ｅ−ＵＴＲＡＮは、発展型ユニバーサル地上無線アクセス（Ｅ−ＵＴＲＡ）のユーザ・プレーン（ＰＤＣＰ／ＲＬＣ／ＭＡＣ／ＰＨＹ）および制御プレーン（ＲＲＣ）のプロトコル端末をＵＥに提供する、発展型ＮｏｄｅＢ（ｅＮｏｄｅＢ）を含む。本明細書において説明するように、ｅＮｏｄｅＢは、所与の通信可能領域内のユーザ機器（ＵＥ）に無線アクセスを提供する基地局を意味する。この通信可能領域はセルのフットプリントと呼ばれる。ｅＮｏｄｅＢはＸ２インタフェースによりお互いと相互接続する。また、ｅＮｏｄｅＢは、Ｓ１−ＭＭＥインタフェース（制御プレーン）経由でモビリティ管理エンティティ（ＭＭＥ）に、およびＳ１−Ｕインタフェース（ユーザ／データ・プレーン）経由でサービング・ゲートウェイ（ＳＧＷ）に接続する。
【０００７】
４Ｇでは、性能はより個人的になり、自己組織化および自己最適化のネットワーク（ＳＯＮ）でローカライズされた。したがって、性能解析評価は説明責任の意味が大きくなり、特定のセルについての特定の質問に回答する必要がある。その結果、六角形モデルを使用するネットワークの一般解析では不十分である。さらに、性能最適化はネットワークの一部なので、解析およびモデルは計算効率を提供して、これらの計算がネットワーク構成要素上でなされるのを可能にすべきである。
【先行技術文献】
【非特許文献】
【０００８】
【非特許文献１】３ＧＰＰ  ＴＳ  ３６．３００  Ｖ．８．６．０
【発明の概要】
【０００９】
少なくとも１つの例示的な実施形態は、通信システム内の通信可能領域を決定する方法を開示する。方法は、コントローラにより通信システム内の複数の基地局を決定すること、およびコントローラにより複数の基地局のそれぞれについてボロノイ領域（Ｖｏｒｏｎｏｉ  ｒｅｇｉｏｎ）を決定することを含む。ボロノイ領域は基地局用の通信可能領域に対応する。
【００１０】
少なくとも別の例示的な実施形態は、通信システムの性能を解析する方法を開示する。方法は、少なくとも１つのアンテナを含む基地局により、ボロノイ領域の少なくとも１つの頂点を決定することを含む。ボロノイ領域は基地局用の通信可能領域に対応し、少なくとも１つの頂点は最大送信距離に対応する。
【００１１】
例示的な実施形態は、添付図面と併用して以下の詳細説明から明確に理解されよう。本明細書において説明するように、図１〜６は限定的でない例示的な実施形態を表す。
【図面の簡単な説明】
【００１２】
【図１】従来の六角形ネットワーク・モデルを示す図である。
【図２】例示的な実施形態による通信システムの一部を示す図である。
【図３】例示的な実施形態により通信システム内の通信可能領域を決定する方法を示す図である。
【図４】例示的な実施形態によりボロノイ領域に基づいて送信電力を決定する方法を示す図である。
【図５】例示的な実施形態によりボロノイ領域に基づいてアンテナ用の傾斜角を決定する方法を示す図である。
【図６】例示的な実施形態による複数のｅＮｏｄｅＢおよびボロノイ領域を有する通信システムを示す図である。
【発明を実施するための形態】
【００１３】
ここで、いくつかの例示的な実施形態が図示された添付図面を参照して、さまざまな例示的な実施形態をより詳しく説明する。図面では、明確にするために階層および領域の厚さは誇張されている場合がある。
【００１４】
したがって、例示的な実施形態はさまざまな修正形態および代替の形態が可能であるが、その実施形態を例として図面に示し、本明細書において詳細に説明する。しかしながら、例示的な実施形態を開示した特定の形態に限定するものではなく、これに反して、例示的な実施形態は特許請求の範囲の範囲内にあるすべての修正形態、均等物、および代替物を対象として含むものであることを理解すべきである。図の説明の全体を通して、同じ番号は同じ構成要素を表す。
【００１５】
さまざまな構成要素を説明するために、第１、第２などの用語が本明細書において使用される場合があるが、これらの構成要素はこれらの用語によって限定されるべきでないことが理解されよう。これらの用語は、１つの構成要素を別の構成要素から区別するために使用されるにすぎない。例示的な実施形態の範囲から逸脱することなく、例えば、第１の構成要素は第２の構成要素と呼ぶことができるし、同様に、第２の構成要素は第１の構成要素と呼ぶことができる。本明細書では、用語「および／または」は、１つまたは複数の関連する列記された項目のありとあらゆる組合せを含む。
【００１６】
本明細書において使用される術語は、特定の実施形態のみを説明する目的のためであり、例示的な実施形態を限定するものではない。本明細書では、単数形「ａ」、「ａｎ」および「ｔｈｅ」は、文脈が明らかに他を示さないかぎり、複数形も含むものである。さらに、用語「備える」、「備えている」、「含む」および／または「含んでいる」は、本明細書において使用される場合、記載された特徴、整数、ステップ、動作、構成要素および／または構成部品の存在を明記するが、１つまたは複数の他の特徴、整数、ステップ、動作、構成要素、構成部品、および／もしくはそのグループの存在または追加を排除しないことが理解されよう。
【００１７】
また、いくつかの代替の実装形態では、注記された機能／動作は数字で注記された順序以外で起こり得ることに留意すべきである。例えば、連続して示された２つの数字は、関係する機能／動作に応じて、実際には実質的に同時に実行される場合があるか、または時々反対の順序で実行される場合がある。
【００１８】
他で定義されないかぎり、本明細書において使用される（技術的および科学的な用語を含む）すべての用語は、例示的な実施形態が属する技術分野の当業者によって一般的に理解されるものと同じ意味をもつ。さらに、例えば一般的に使用される辞書の中で定義された用語は、関連技術の文脈の中の意味と一致する意味を有するものと解釈すべきであり、本明細書においてそのように明確に定義されないかぎり、理想化された、または上塗りされた格式ばった意味で解釈するものではないことが理解されよう。
【００１９】
アルゴリズムは、その用語が本明細書で使用されるように、かつ一般的に使用されるように、所望の結果に導く首尾一貫した一連のステップであると考えられる。ステップは、物理量の物理的操作を必要とするステップである。一般に、必ずしもそうではないが、これらの量は、格納、転送、結合、比較、および、そうでなければ操作されることが可能な、光学的、電気的、または磁気的な信号の形をとる。主に共通使用の理由から、これらの信号を、ビット、値、要素、符号、文字、用語、数字、などとして参照することが時には便利であると証明された。
【００２０】
以下の説明では、特定のタスクを実行するか、または特定の抽象データ・タイプを実装するルーチン、プログラム、オブジェクト、構成部品、データ構造などを含むプログラム・モジュールまたは機能処理として実装され得るし、既存のネットワーク構成要素または制御ノード（例えば、セル・サイト、基地局またはＮｏｄｅＢに配置されたスケジューラ）で既存のハードウェアを使用して実装され得る、動作の動きおよび符号表現を（例えば、流れ図の形で）参照して、例示的な実施形態を説明する。
【００２１】
他で詳細に記述しないかぎり、または解説から明白なように、「処理」または「演算」または「計算」または「決定」または「表示」などの用語は、コンピュータ・システムのレジスタおよびメモリの内部の物理的、電気的な量として表現されたデータを操作し、コンピュータ・システムのメモリもしくはレジスタ、または、他のそのような情報を格納、送信もしくは表示する装置の内部の物理量として同様に表現された他のデータに変換する、コンピュータ・システムまたは同様の電子計算装置の動作および処理を意味する。
【００２２】
本明細書では、用語「ユーザ機器」（ＵＥ）は、モバイル・ユーザ、モバイル・ステーション、モバイル端末、ユーザ、加入者、無線端末および／またはリモート・ステーションと同義であり得るし、無線通信ネットワーク内の無線リソースのリモート・ユーザを表現することができる。
【００２３】
用語「発展型ＮｏｄｅＢ」は、１つまたは複数のセル・サイト、ＮｏｄｅＢ、基地局、アクセス・ポイントおよび／または無線周波通信の任意のターミナルとして理解することができる。以後説明する例示的な実施形態は、一般に、例えば、ＬＴＥ、アドホックおよび／またはメッシュのネットワーク・アーキテクチャなどのネットワーク・アーキテクチャに適用可能であり得る。
【００２４】
ボロノイ分割は数学でよく知られている。ボロノイ分割は複数のボロノイ領域を含む。各ボロノイ領域は母点を含む。ボロノイ領域内の各点は、その他のボロノイ領域のその他のいかなる母点よりもそのボロノイ領域の母点に近い。ボロノイ領域のセグメント（境界線）は、そのボロノイ領域の母点と別のボロノイ領域の母点とに等距離にあるすべての点である。
【００２５】
例示的な実施形態は、通信システム内のｅＮｏｄｅＢ（基地局）毎にボロノイ領域を決定する方法を開示する。ｅＮｏｄｅＢ毎に決定されたボロノイ領域は、通信システムのコントローラによりｅＮｏｄｅＢ用の通信可能領域として使用される。ｅＮｏｄｅＢはボロノイ領域の母点である。通信可能領域は関連ボロノイ領域に基づくので、通信可能領域内のすべての場所は通信可能領域に関連するｅＮｏｄｅＢに最も近い。
【００２６】
図２は、複数のｅＮｏｄｅＢ２０５と通信するネットワーク管理層２００を含むＥ−ＵＴＲＡＮの配備の一部を示す。よく知られているように、複数のセルまたは単一のセルは、しばしば単一のｅＮｏｄｅＢに関連する。
【００２７】
Ｅ−ＵＴＲＡＮのネットワーク管理層２００は、モビリティ管理エンティティ（ＭＭＥ）２１０およびサービング・ゲートウェイＳＧＷ２１２を含む。ＭＭＥ２１０は、ｅＮｏｄｅＢ２０５を制御し、ｅＮｏｄｅＢ２０５用のスケジューリングおよび送信を調整する論理エンティティである。より詳細には、ＭＭＥ２１０の機能は、スケジューリングおよびタイミングの制御、ｅＮｏｄｅＢの登録、ならびにフィードバックを含む。ＭＭＥ２１０はｅＮｏｄｅＢ２０５と双方向通信を行う。参照によりその全内容が本明細書に組み込まれている、３ＧＰＰ  ＴＳ  ３６．３００  Ｖ．８．６．０に記載されているように、ＭＭＥ２１０は、とりわけ、ユーザ無線アクセス・ネットワーク（ＲＡＮ）のモビリティ管理手順およびユーザ・セッション管理手順を制御する。
【００２８】
例えば、ＭＭＥ２１０はＵＥのトラッキングおよび到達可能性を制御する。また、ＭＭＥ２１０は、今にも起こりそうな接続要求（例えば、ＵＥが呼び出されるとき、またはネットワーク起動のＵＥ向けデータが来るとき）を宛先ＵＥに知らせるためのページング・メッセージなどの、信号メッセージの送信および／または再送を制御し、実行する。
【００２９】
ＳＧＷ２１２はデータ・プレーンの構成要素である。ＳＧＷ２１２は、ｅＮｏｄｅＢ２０５間のハンドオフ中のモビリティ・アンカであり、ＬＴＥと他の３ＧＰＰ技術の間のモビリティ用アンカである。
【００３０】
４Ｇ／ＬＴＥネットワークを参照して例示的な実施形態を説明したが、例示的な実施形態は任意の無線通信基盤に適用可能であると考察される。
【００３１】
図３は、通信システム内で通信可能領域を決定する方法を示す。図３の方法は、ネットワーク管理層２００内のＭＭＥ２１０などの、ネットワーク管理層内のコントローラによって実行することができる。より詳細に述べると、図３の方法を実装するコントローラは、通信システム内の複数の基地局を決定し、複数のｅＮｏｄｅＢのそれぞれについてボロノイ領域を決定する。ボロノイ領域はｅＮｏｄｅＢ用の通信可能領域に対応する。
【００３２】
ステップＳ３００で、コントローラは、通信システム内の複数のｅＮｏｄｅＢ（基地局）の数を決定する。コントローラは、任意の既知の方法によりｅＮｏｄｅＢの数を決定することができる。コントローラは、ｅＮｏｄｅＢの数の限度を設定することができる。
【００３３】
ステップＳ３１０で、次いでコントローラは、複数のｅＮｏｄｅＢのそれぞれについてボロノイ領域（セルのフットプリント）を決定する。より詳細に述べると、コントローラは、通信システム内のセル・サイト（例えば、無線アクセス・ネットワーク）について、ボロノイ領域を含むボロノイ分割を決定する。コントローラは、関連するｅＮｏｄｅＢをボロノイ領域用の母点として使用することにより、ボロノイ領域を決定する。
【００３４】
ボロノイ分割を決定するために使用されるアルゴリズムは、通信に関連しない分野で知られている。しかしながら、コントローラは、ボロノイ分割およびボロノイ分割内のボロノイ領域を決定するために使用される任意の既知のアルゴリズムを使用することができる。
【００３５】
例えば、コントローラは、平面世界図を仮定してボロノイ領域を決定することができる。コントローラはＦｏｒｔｕｎｅアルゴリズムを使用して、ＦｏｒｔｕｎｅアルゴリズムにおけるｅＮｏｄｅＢの場所（例えば、ＸおよびＹ座標）を使用してｅＮｏｄｅＢのボロノイ領域を決定することができる。
【００３６】
コントローラがボロノイ分割を決定すると、ステップＳ３２０で、コントローラは、関連ボロノイ領域に基づいてｅＮｏｄｅＢ用の通信可能領域をそれぞれ設定する。ｅＮｏｄｅＢに関する性能解析のために使用される通信可能領域は、ｅＮｏｄｅＢ用の関連ボロノイ領域である。通信可能領域は関連ボロノイ領域に基づくので、通信可能領域内のすべての場所は、通信可能領域に関連するｅＮｏｄｅＢに最も近い。
【００３７】
コントローラは、関連ボロノイ領域を示す信号を各ｅＮｏｄｅＢに送信するように構成される。さらに、各ｅＮｏｄｅＢは、関連ボロノイ領域に基づいて初期パラメータ値を設定する。例えば、コントローラは平面世界図を仮定し、平面世界図に基づいてボロノイ領域を決定することができる。ボロノイ領域を使用して、コントローラは初期パラメータ値を決定する。初期パラメータ値は各セルの中に格納され、ＵＥの測定値に基づいて改良される。初期パラメータ値には、信号電力、トラフィック・チャネルおよび制御チャネル用の電力偏位、アンテナの傾斜角、ハンドオフ・パラメータ、ならびに再選択パラメータが含まれ得る。
【００３８】
そのため、性能解析において、ｅＮｏｄｅＢ用の通信可能領域は六角形ではない。それに反して、例示的な実施形態による通信可能領域は凸多角形（ボロノイ領域）である。
【００３９】
自然無線伝搬（送信機からの距離による受信レベルの低下）のために、ボロノイ領域は従来の六角形モデルを上回る多くの利点を提供する。
【００４０】
２つのそのような例は、アンテナの傾斜および送信電力である。ｅＮｏｄｅＢの送信電力はボロノイ領域の頂点の１つに関連する。
【００４１】
図４は、ボロノイ領域に基づいて送信電力を決定する方法を示す。図５は、ボロノイ領域に基づいてｅＮｏｄｅＢ上のアンテナ用の傾斜角を決定する方法を示す。図６は、複数のｅＮｏｄｅＢおよび通信可能領域としてのボロノイ領域を有する通信システムを示す。図６は、図４および図５に示した方法を説明するために使用される。図４および図５に示した方法は、図２に示したｅＮｏｄｅＢ２０５などの通信システム内のｅＮｏｄｅＢによって実装することができる。
【００４２】
図４および図５は、通信可能領域用のボロノイ領域を決定するように構成されたコントローラをもつ通信内のｅＮｏｄｅＢによって実装される。ｅＮｏｄｅＢは少なくとも１本のアンテナを含む。
【００４３】
ステップＳ４００で、ｅＮｏｄｅＢは、ｅＮｏｄｅＢ用の関連ボロノイ領域を決定する。より詳細に述べると、ｅＮｏｄｅＢはコントローラからボロノイ領域を示す信号を受信する。例として図２を使用すると、ｅＮｏｄｅＢはＭＭＥ２１０からボロノイ領域を示す信号を受信する。また、ｅＮｏｄｅＢは、関連ボロノイ領域の少なくとも１つの頂点（例えば、ｅＮｏｄｅＢの場所から最も遠い頂点）を決定する。少なくとも１つの頂点は、関連ボロノイ領域内でｅＮｏｄｅＢから最大距離ｄｍａｘにあり得る。
【００４４】
次いでｅＮｏｄｅＢは、ステップＳ４１０で、最大距離ｄｍａｘに基づいて通信可能領域用の送信電力を決定する。送信電力は、通信可能領域（ボロノイ領域）内のすべてのＵＥがｅＮｏｄｅＢによって送信された信号を受信することができるように、ｅＮｏｄｅＢによって決定される。ステップＳ４２０で、ｅＮｏｄｅＢは、ｅＮｏｄｅＢ用の通信可能領域内のＵＥにその送信電力で信号を送信する。
【００４５】
説明したように、ｅＮｏｄｅＢは、最初にボロノイ領域の少なくとも１つの頂点を決定する。ボロノイ領域はｅＮｏｄｅＢ用の通信可能領域に対応し、少なくとも１つの頂点は最大送信距離に対応する。その結果、ｅＮｏｄｅＢはコントローラから決定されたボロノイ領域を受信する。
【００４６】
図５は、ボロノイ領域に基づいてアンテナ用の傾斜角を決定する方法を示す。ステップＳ５００はステップＳ４００と同じである。したがって、簡潔にするために、ステップＳ５００の詳細説明は提供されない。
【００４７】
ステップＳ５１０で、ｅＮｏｄｅＢは、最大距離ｄｍａｘおよびアンテナの高さｈに基づいて、アンテナ用の傾斜角を決定する。傾斜角の決定は図６を参照してより詳細に説明する。
【００４８】
ｅＮｏｄｅＢがアンテナの傾斜角を決定すると、ステップＳ５２０で、ｅＮｏｄｅＢはその傾斜角で信号を送信する。説明したｅＮｏｄｅＢは１本のアンテナを含むが、例示的な実施形態は複数のアンテナをもつｅＮｏｄｅＢを含むことができることを理解すべきである。例えば、例示的な実施形態はマルチ入力マルチ出力（ＭＩＭＯ）システムに実装することができる。
【００４９】
例えば、ｅＮｏｄｅＢが活動していない（例えば、シャットダウン）か、または通信システムに追加されたことをコントローラが検出するたびに、図３〜５のそれぞれはコントローラおよびｅＮｏｄｅＢによって実行することができる。ｅＮｏｄｅＢがダウンした場合、コントローラは活動しているｅＮｏｄｅＢ毎にボロノイ領域を再構成する。したがって、活動しているｅＮｏｄｅＢ用の通信可能領域は、活動していないｅＮｏｄｅＢに起因して失われた通信可能領域を補償するはずである。
【００５０】
図６は、複数のｅＮｏｄｅＢおよび通信可能領域としてのボロノイ領域を有する通信システムを示す。図のように、通信システム６００はｅＮｏｄｅＢ  ＥＮ１〜ＥＮ１０を含む。各ｅＮｏｄｅＢ  ＥＮ１〜ＥＮ１０は通信可能領域ＣＡ１〜ＣＡ１０に関連する。図にはないが、通信システム６００はＭＭＥ２１０のようなコントローラを含むことを理解すべきである。図３の方法で説明したように、コントローラは通信可能領域ＣＡ１〜ＣＡ１０を決定する。
【００５１】
理解しやすいように、かつ簡潔にするために、ｅＮｏｄｅＢ  ＥＮ１およびｅＮｏｄｅＢ  ＥＮ１用の通信可能領域ＣＡ１を説明する。しかしながら、ｅＮｏｄｅＢ  ＥＮ１の説明はｅＮｏｄｅＢ  ＥＮ２〜ＥＮ１０に適用可能であることを理解すべきである。さらに、通信システム６００は１０個のｅＮｏｄｅＢを有するように示されるが、通信システム６００は１０個より多いｅＮｏｄｅＢまたは１０個より少ないｅＮｏｄｅＢを含むことができ、例示的な実施形態は１０個のｅＮｏｄｅＢに限定されていると解釈すべきではない。
【００５２】
図のように、ｅＮｏｄｅＢ  ＥＮ１は、通信可能領域ＣＡ１内のＵＥおよびコントローラと信号を送受信するように構成されたアンテナＡ１を含む。アンテナＡ１は地上ｈの高さに配置される。
【００５３】
コントローラから受信した信号に基づいて、ｅＮｏｄｅＢ  ＥＮ１は、その関連ボロノイ領域（ステップＳ４００／Ｓ５００）、通信可能領域ＣＡ１の頂点を決定する。通信可能領域ＣＡ１用のボロノイ領域は頂点Ｖ１〜Ｖ５を含む。図のように、頂点Ｖ５はｅＮｏｄｅＢ  ＥＮ１から最大距離ｄｍａｘにある。ｅＮｏｄｅＢ  ＥＮ１によって決定された送信電力は、ｅＮｏｄｅＢ  ＥＮ１から通信可能領域ＣＡ１の縁部までの最大距離ｄｍａｘに基づくので、通信可能領域ＣＡ１内の各ＵＥは、その送信電力でｅＮｏｄｅＢ  ＥＮ１によって送信された信号を受信する。
【００５４】
ｅＮｏｄｅＢ  ＥＮ１は以下の数式を使用して送信電力を決定する。
【００５５】
【数１】
2013526811.tif 000003
ここでＰ１はｅＮｏｄｅＢ  ＥＮ１から距離ｄｍａｘにある点の電力受信レベルである。ｅＮｏｄｅＢ  ＥＮ１用の送信電力はＴ０であり、αは運用の周波数帯に基づく減衰定数である。
【００５６】
また、通信可能領域ＣＡ１は、ｅＮｏｄｅＢ  ＥＮ１用のセクタ構成に基づいて、ｅＮｏｄｅＢ  ＥＮ１によって決定された点Ｓ１〜Ｓ３を含む。
【００５７】
さらに、ｅＮｏｄｅＢ  ＥＮ１はアンテナの傾斜を以下のように決定する。
傾斜＝ｔａｎ−１（ｈ／ｄｍａｘ）  （２）
【００５８】
ＵＥがｅＮｏｄｅＢ  ＥＮ１と通信すると、実際のＵＥの測定値は、減衰定数αに基づく最大経路損失より正確な最大経路損失の推定値を提供することができる。減衰定数αに基づく最大経路損失とＵＥの測定値に基づく最大経路損失との差は、負荷分散の電力推定値だけでなく送信電力の補償電力量を更新するために、ｅＮｏｄｅＢ  ＥＮ１によって使用される。
【００５９】
便宜上、すべてのセルを対象として含む各基地局／ｅＮｏｄｅＢとともに、例示的な実施形態を説明した。しかしながら、例示的な実施形態は任意の数のセクタ／セルに拡張することができる。
【００６０】
例示的な実施形態をこのように説明したが、前述の実施形態が多くの方法で変更できることは明らかであろう。そのような変形形態は例示的な実施形態の精神および範囲から逸脱しているものとみなすものではなく、すべてのそのような修正形態は特許請求の範囲の範囲内に含まれるものであることが当業者には明らかなはずである。
【図１】
2013526811.tif 000004
【図２】
2013526811.tif 000005
【図３】
2013526811.tif 000006
【図４】
2013526811.tif 000007
【図５】
2013526811.tif 000008
【図６】
2013526811.tif 000009
【国際調査報告】
2013526811.tif 000010
2013526811.tif 000011
2013526811.tif 000012